(57)【要約】【課題】サポート強度を十分に調節することが可能な股関節用サポーターを提供する。【解決手段】股関節用サポーター１は、本体２と、本体２の外側面２ｂに着脱可能に係着される締付ベルト３とを備える。本体２は、腰部に巻き付けられる腰部ベルト部４と、大腿部に巻き付けられる大腿部ベルト部５と、腰部ベルト部４と大腿部ベルト部５とを連結し、該本体２を腰部及び大腿部に装着した状態で股関節の側方側に位置する連結部６とを備える。締付ベルト３は、大腿部ベルト部５の左側領域Ｌ及び右側領域Ｒのうち一方に設けられた係着部７に着脱可能に係着する第１係着部８ａを一端部３ａに有すると共に、腰部ベルト部４の左側領域Ｌ及び右側領域Ｒのうち他方に設けられた係着部７に着脱可能に係着する第２係着部８ｂを他端部３ｂに有する。【選択図】図１
0003206284.tif 000002
【実用新案登録請求の範囲】
【請求項１】
伸縮性素材からなり、腰部及び大腿部に装着される側の内側面とその反対側の外側面とを有する本体と、該本体の外側面に着脱可能に係着される締付ベルトとを備え、
前記本体は、腰部に巻き付けられる腰部ベルト部と、大腿部に巻き付けられる大腿部ベルト部と、前記腰部ベルト部と大腿部ベルト部とを連結し、該本体を腰部及び大腿部に装着した状態で股関節の側方側に位置する連結部とを備え、
前記本体を平面に展開した状態で、前記腰部ベルト部と大腿部ベルト部の外側面は、それぞれ、前記連結部の左右方向中心線に対して左側に位置する左側領域と右側に位置する右側領域とを有し、該左側領域と右側領域には、それぞれ、係着部が設けられ、
前記締付ベルトは、前記大腿部ベルト部の前記左側領域及び右側領域のうち一方に設けられた係着部に着脱可能に係着する第１係着部を一端部に有すると共に、該一端部から前記連結部を跨いで、前記腰部ベルト部の前記左側領域及び右側領域のうち他方に設けられた係着部に着脱可能に係着する第２係着部を他端部に有することを特徴とする股関節用サポーター。
【請求項２】
前記大腿部ベルト部を左の大腿部に巻き付けた第１状態と、前記大腿部ベルト部を右の大腿部に巻き付けた第２状態とを選択可能であり、前記第１状態では、前記締付ベルトの第１係着部を、前記大腿部ベルト部の前記右側領域に設けられた係着部と係着させると共に、前記締付ベルトの第２係着部を、前記腰部ベルト部の前記左側領域に設けられた係着部と係着させ、前記第２状態では、前記締付ベルトの第１係着部を、前記大腿部ベルト部の前記左側領域に設けられた係着部と係着させると共に、前記締付ベルトの第２係着部を、前記腰部ベルト部の前記右側領域に設けられた係着部と係着させる請求項１に記載の股関節用サポーター。
【請求項３】
前記第１状態と第２状態に応じた前記締付ベルトの係着方向を識別するための識別表示を有する請求項２に記載の股関節用サポーター。
【請求項４】
前記締付ベルトの一端部と他端部を通すベルト通しが、前記本体の外側面に設けられている請求項１から３の何れか１項に記載の股関節用サポーター。
【考案の詳細な説明】
【技術分野】
【０００１】
本考案は、股関節をサポートするための股関節用サポーターに関する。
【背景技術】
【０００２】
従来から、手術後、病気時等に股関節をサポートするための股関節用サポーターが提案されていた。
【０００３】
例えば、特許文献１には、伸縮性素材から成る股関節圧迫部の長辺の上下に、それぞれ非伸縮性又は難伸縮性の素材から成る腹部ベルトと大腿ベルトとを連結したものが記載されている。
【先行技術文献】
【特許文献】
【０００４】
【特許文献１】実公平２−７５４５号公報
【特許文献２】特許第３９８６６３２号公報
【考案の概要】
【考案が解決しようとする課題】
【０００５】
ところが、特許文献１に記載の股関節用サポーターのように、伸縮性材料を用いたものでは、股関節に対して圧迫力が十分に得られない可能性があった。
【０００６】
このような問題に対して、特許文献２には、腰部ベルトと大腿部ベルトとこれらの連結部からなる本体に対して、連結部上で交差した２本の圧迫ベルトを固定したものが記載されている。
【０００７】
しかしながら、特許文献２に記載の股関節用サポーターでは、サポート強度を十分に調節することができない可能性があった。
【０００８】
本考案は、上記事情に鑑み、サポート強度を十分に調節することが可能な股関節用サポーターを提供することを技術的課題とする。
【課題を解決するための手段】
【０００９】
前記課題を解決するために創案された本考案に係る股関節用サポーターは、伸縮性素材からなり、腰部及び大腿部に装着される側の内側面とその反対側の外側面とを有する本体と、該本体の外側面に着脱可能に係着される締付ベルトとを備え、前記本体は、腰部に巻き付けられる腰部ベルト部と、大腿部に巻き付けられる大腿部ベルト部と、前記腰部ベルト部と大腿部ベルト部とを連結し、該本体を腰部及び大腿部に装着した状態で股関節の側方側に位置する連結部とを備え、前記本体を平面に展開した状態で、前記腰部ベルト部と大腿部ベルト部の外側面は、それぞれ、前記連結部の左右方向中心線に対して左側に位置する左側領域と右側に位置する右側領域とを有し、該左側領域と右側領域には、それぞれ、係着部が設けられ、前記締付ベルトは、前記大腿部ベルト部の前記左側領域及び右側領域のうち一方に設けられた係着部に着脱可能に係着する第１係着部を一端部に有すると共に、該一端部から前記連結部を跨いで、前記腰部ベルト部の前記左側領域及び右側領域のうち他方に設けられた係着部に着脱可能に係着する第２係着部を他端部に有することを特徴とする。
【００１０】
この構成によれば、締付ベルトの一端部と他端部は、本体に対して着脱可能なので、締付ベルトの一端部と他端部の本体に対する係着位置を調節することにより、サポート強度を十分に調節することが可能である。
【００１１】
また、締付ベルトは、本体の外側面に係着するので、本体を人体に装着した後に、締付ベルトの一端部と他端部の本体に対する係着位置を調節することができる。
【００１２】
上記の構成において、前記大腿部ベルト部を左の大腿部に巻き付けた第１状態と、前記大腿部ベルト部を右の大腿部に巻き付けた第２状態とを選択可能であり、前記第１状態では、前記締付ベルトの第１係着部を、前記大腿部ベルト部の前記右側領域に設けられた係着部と係着させると共に、前記締付ベルトの第２係着部を、前記腰部ベルト部の前記左側領域に設けられた係着部と係着させ、前記第２状態では、前記締付ベルトの第１係着部を、前記大腿部ベルト部の前記左側領域に設けられた係着部と係着させると共に、前記締付ベルトの第２係着部を、前記腰部ベルト部の前記右側領域に設けられた係着部と係着させてもよい。
【００１３】
この構成によれば、第１状態と第２状態のそれぞれで、締付ベルトを本体に係着することにより、連結部の周辺を下から上に前に向かって締めることが可能になる。このようにすれば、締付ベルトで股関節をしっかり固定することができる。
【００１４】
この構成において、前記第１状態と第２状態に応じた前記締付ベルトの係着方向を識別するための識別表示を有してもよい。
【００１５】
この構成によれば、第１状態又は第２状態にするために締付ベルトを本体に係着する際に、締付ベルトの係着方向を間違えることを防止できる。
【００１６】
上記の構成において、前記締付ベルトの一端部と他端部を通すベルト通しが、前記本体の外側面に設けられていてもよい。
【００１７】
この構成によれば、締付ベルトを本体に係着する際に、ベルト通しにより、締付ベルトを案内することができる。
【考案の効果】
【００１８】
以上のように本考案によれば、サポート強度を十分に調節することが可能な股関節用サポーターを提供することができる。
【図面の簡単な説明】
【００１９】
【図１】第１実施形態に係る態股関節用サポーターの使用状態を示す正面展開図であり、（Ａ）が第１状態、（Ｂ）が第２状態である。
【図２】本考案の第１実施形態に係る股関節用サポーターの本体を示す展開図であり、（Ａ）が正面図、（Ｂ）が背面図である。
【図３】本考案の第１実施形態に係る股関節用サポーターの締付ベルトを示す展開図であり、（Ａ）が正面図、（Ｂ）が背面図である。
【図４】第１実施形態に係る股関節用サポーターを第１状態で人体に装着した様子を示す図であり、（Ａ）が、正面から見た図、（Ｂ）が、左斜め前から見た図である。
【図５】第１実施形態に係る股関節用サポーターの識別表示の一構成例を示す図である。
【図６】第２実施形態に係る股関節用サポーターの使用状態を示す正面展開図であり、（Ａ）が腰部ベルト部の両端部を前側で係着させる場合、（Ｂ）が腰部ベルト部の両端部を後側で係着させる場合である。
【図７】本考案の第２実施形態に係る股関節用サポーターの本体を示す展開図であり、（Ａ）が正面図、（Ｂ）が背面図である。
【図８】第２実施形態に係る股関節用サポーターを人体に装着した様子を示す図であり、（Ａ）が、正面から見た図、（Ｂ）が、右斜め前から見た図である。
【考案を実施するための形態】
【００２０】
図１、図２及び図３に示すように、本発明の第１実施形態に係る股関節用サポーター１は、伸縮性素材からなる本体２と、締付ベルト３とを備える。本体２は、腰部及び大腿部に装着される側の内側面２ａとその反対側の外側面２ｂとを有する。締付ベルト３は、本体２の外側面２ｂに着脱可能に係着される。本体２と締付ベルト３は、例えば、薄型ネオプレン（登録商標）生地で形成される。なお、締付ベルト３は、本体２よりも伸縮性が無い素材であってもよい。
【００２１】
本体２は、腰部に巻き付けられる腰部ベルト部４と、大腿部に巻き付けられる大腿部ベルト部５と、腰部ベルト部４と大腿部ベルト部５とを連結する連結部６とを備える。連結部６は、本体２を腰部及び大腿部に装着した状態で股関節の側方側に位置する。
【００２２】
本体２を平面に展開した状態で、腰部ベルト部４と大腿部ベルト部５の外側面２ｂは、それぞれ、連結部６の左右方向中心線Ｃに対して左側に位置する左側領域Ｌと右側に位置する右側領域Ｒとを有し、左側領域Ｌと右側領域Ｒには、それぞれ、係着部７が設けられている。係着部７は、例えば、面ファスナー（雌）生地で形成される。
【００２３】
締付ベルト３は、大腿部ベルト部５の左側領域Ｌ及び右側領域Ｒのうち一方に設けられた係着部７に着脱可能に係着する第１係着部８ａを一端部３ａに有する。そして、締付ベルト３は、一端部３ａから連結部６を跨いで、腰部ベルト部４の左側領域Ｌ及び右側領域Ｒのうち他方に設けられた係着部７に着脱可能に係着する第２係着部８ｂを他端部３ｂに有する。締付ベルト３は、第１係着部８ａと第２係着部８ｂを同じ面（内側面）に有する。第１及び第２係着部８ａ，８ｂは、例えば面ファスナー（雄）で形成される。
【００２４】
締付ベルト３の一端部３ａと他端部３ｂを通すベルト通し９が、本体２の外側面２ｂに設けられている。ベルト通し９は、腰部ベルト部４の左側領域Ｌと右側領域Ｒに１つずつ設けられ、大腿部ベルト部５の左側領域Ｌと右側領域Ｒに１つずつ設けられている。
【００２５】
なお、本実施形態では、腰部ベルト部４の外側面２ｂにおけるベルト通し９より連結部６側の領域には、係着部７が設けられていないが、設けられてもよい。大腿部ベルト部５の外側面２ｂと、連結部６の外側面２ｂについても同様である。
【００２６】
腰部ベルト部４の一方の端部４ａの内側面２ａには、他方の端部４ｂの外側面２ｂの係着部７に着脱可能に係着する係着部４ｃが設けられている。大腿部ベルト部５の一方の端部５ａの内側面２ａには、他方の端部５ｂの外側面２ｂの係着部７に着脱可能に係着する係着部５ｃが設けられている。係着部４ｃ，５ｃは、例えば面ファスナー（雄）で形成される。
【００２７】
連結部６の中央には、パッド６ａが内蔵されている。パッド６ａは、例えば、ＥＶＡ樹脂で形成される。
【００２８】
股関節用サポーター１は、左右の大腿部で兼用であり、使用に際して、大腿部ベルト部５を左の大腿部に巻き付けた第１状態（左側装着）と、大腿部ベルト部５を右の大腿部に巻き付けた第２状態（右側装着）とを選択可能である。
【００２９】
第１状態では、図１（Ａ）及び図４に示すように、締付ベルト３の第１係着部８ａを、大腿部ベルト部５の右側領域Ｒに設けられた係着部７と係着させると共に、締付ベルト３の第２係着部８ｂを、腰部ベルト部４の左側領域Ｌに設けられた係着部７と係着させる。
【００３０】
第２状態では、図１（Ｂ）に示すように、締付ベルト３の第１係着部８ａを、大腿部ベルト部５の左側領域Ｌに設けられた係着部７と係着させると共に、締付ベルト３の第２係着部８ｂを、腰部ベルト部４の右側領域Ｒに設けられた係着部７と係着させる。
【００３１】
なお、第１状態で、図１（Ｂ）に示す締付ベルト３の配置、又は、第２状態で、図１（Ａ）に示す締付ベルト３の配置を採用すると、人体に良くない可能性がある。
【００３２】
図５に示すように、股関節用サポーター１は、第１状態と第２状態に応じた締付ベルト３の係着方向を識別するための識別表示１０を有することが好ましい。図示例では、第１状態の時に通すベルト通し９に、「左」と記載されたタグが取り付けられており、第２状態の時に通すベルト通し９に、「右」と記載されたタグが取り付けられている。
【００３３】
股関節用サポーター１を使用する際には、次のように人体に装着する。予め、サポート力が弱い状態（両端部３ａ，３ｂが相互に近い位置の状態）で締付ベルト３を本体２に係着させておく。そして、腰部ベルト部４について係着部４ｃを外側面２ｂの係着部７に係着させた後、大腿部ベルト部５について係着部５ｃを外側面２ｂの係着部７に係着させることにより、本体２の腰部ベルト部４、大腿部ベルト部５を順次に腰部、大腿部に装着する。
【００３４】
次に、適切なサポート力が得られるように、締付ベルト３の本体２に対する係着位置を変更する。この際には、締付ベルト３の一端部３ａを大腿部ベルト部５に対して係着した後、他端部３ｂを腰部ベルト部４に対して係着することにより、図４（Ｂ）に白矢印で示すように、締付ベルト３によって連結部６の周辺を下から上に前に向かって締めることが好ましい。これにより、締付ベルト３で股関節をしっかり固定することができる。
【００３５】
以上のように構成された股関節用サポーター１では以下の効果を享受できる。
【００３６】
締付ベルト３の一端部３ａと他端部３ｂは、本体２に対して着脱可能なので、締付ベルト３の一端部３ａと他端部３ｂの本体２に対する係着位置を調節することにより、サポート強度を十分に調節することが可能である。
【００３７】
また、締付ベルト３は、本体２の外側面２ｂに係着するので、本体２を人体に装着した後に、締付ベルト３の一端部３ａと他端部３ｂの本体２に対する係着位置を調節することができる。
【００３８】
第１実施形態に係る股関節用サポーター１は、左右の大腿部のうち一方のみに装着する大腿部ベルト部５を備えていたが、図６〜図８に示すように、第２実施形態に係る股関節用サポーター１１は、左右の大腿部の双方に装着する大腿部ベルト部５を備える。以下、第１実施形態と同様の構成には、同様の符号を付して、股関節用サポーター１１について説明する。
【００３９】
図６〜図８に示すように、股関節用サポーター１１は、本体１２と、一対の締付ベルト３を備える。本体１２は、大腿部ベルト部５を一対有し、腰部ベルト部４と大腿部ベルト部５を連結する連結部６を一対有する。本体１２は、腰部及び大腿部に装着される側の内側面１２ａとその反対側の外側面１２ｂとを有する。締付ベルト３は、本体１２の外側面１２ｂに着脱可能に係着される。
【００４０】
腰部ベルト部４の両端部４ａ，４ｂを人体の前側で係着させる場合には、図６（Ａ）に示す締付ベルト３の係着方向で、図６（Ａ）の左側の大腿部ベルト部５を、左の大腿部に装着し、右側の大腿部ベルト部５を、右の大腿部に装着する。この場合、図６（Ａ）の股関節用サポーター１１の左側の部分は、第１実施形態と同様の第１状態であり、図６（Ａ）の股関節用サポーター１１の右側の部分は、第１実施形態と同様の第２状態である。なお、腰部ベルト部４について、一対の連結部６の左右方向中心線Ｃの間の領域は、図で左側の連結部６を跨る締付ベルト３の係着を考える時は、右側領域Ｒとなり、図で右側の連結部６を跨る締付ベルト３の係着を考える時は、左側領域Ｌとなる。
【００４１】
腰部ベルト部４の両端部４ａ，４ｂを人体の後側で係着させる場合には、図６（Ｂ）に示す締付ベルト３の係着方向で、図６（Ｂ）の左側の大腿部ベルト部５を、右の大腿部に装着し、右側の大腿部ベルト部５を、左の大腿部に装着する。この場合、図６（Ｂ）の股関節用サポーター１１の左側の部分は、第１実施形態と同様の第２状態であり、股関節用サポーター１１の右側の部分は、第１実施形態と同様の第１状態である。
【００４２】
このように、図６（Ａ）及び図６（Ｂ）に示す股関節用サポーター１１の左側の部分は、第１状態と第２状態を選択可能であり、股関節用サポーター１１の右側の部分も、第１状態と第２状態を選択可能である。なお、腰部ベルト部４の両端部４ａ，４ｂを人体の前側で係着させる方が、人体の後側で係着させるより容易なので、腰部ベルト部４の両端部４ａ，４ｂは人体の前側で係着させることが好ましい。その他の構成や使用方法や効果は第１実施形態と実質的に同様なので、説明を省略する。
【００４３】
以上、本考案の実施形態について説明したが、本考案は上述の実施形態に限定されるものではなく、本考案の技術的思想の範囲で、様々な変更が可能である。
【符号の説明】
【００４４】
１，１１  股関節用サポーター
２，１２  本体
２ａ，１２ａ  内側面
２ｂ，１２ｂ  外側面
３      締付ベルト
３ａ    一端部
３ｂ    他端部
４      腰部ベルト部
５      大腿部ベルト部
６      連結部
７      係着部
８ａ    第１係着部
８ｂ    第２係着部
９      ベルト通し
１０    識別表示
Ｃ      左右方向中心線
Ｌ      左側領域
Ｒ      右側領域
【図１】
0003206284.tif 000003
【図２】
0003206284.tif 000004
【図３】
0003206284.tif 000005
【図４】
0003206284.tif 000006
【図５】
0003206284.tif 000007
【図６】
0003206284.tif 000008
【図７】
0003206284.tif 000009
【図８】
0003206284.tif 000010